(57)【特許請求の範囲】
【請求項１】
原水から酸性水およびアルカリ性水を生成する電解水生成ユニットと、
前記電解水生成ユニットから送水された酸性水およびアルカリ性水にマイクロナノバブルが混入された微細気泡酸性水および微細気泡アルカリ性水が生成され、前記微細気泡酸性水および前記微細気泡アルカリ性水が混合された微細気泡混合電解水を洗浄水として生成する洗浄水生成ユニットと、
前記洗浄水生成ユニットからの洗浄水を吐出する洗浄用ノズルとを備え、
前記洗浄水生成ユニットは、酸性水およびアルカリ性水が通水するホースを介して前記電解水生成ユニットと接続されていると共に、搬送用のキャスターを備えている介護用洗浄装置。
【請求項２】
前記洗浄水生成ユニットは、酸性水に、水素ガスのマイクロナノバブルを混入する第１微細気泡混合器を備えた請求項１記載の介護用洗浄装置。
【請求項３】
前記洗浄水生成ユニットは、アルカリ性水に、炭酸ガスのマイクロナノバブルを混入する第２微細気泡混合器を備えた請求項１記載の介護用洗浄装置。
【請求項４】
前記洗浄水生成ユニットは、酸性水とアルカリ性水とのそれぞれにマイクロナノバブルを混入して微細気泡酸性水と微細気泡アルカリ性水とする微細気泡混合器と、前記微細気泡混合器からの微細気泡酸性水と微細気泡アルカリ性水とを貯留するタンクと、前記微細気泡混合器と前記タンクとの間で、微細気泡酸性水と微細気泡アルカリ性水とを循環させる配管とを備えた請求項１から３のいずれかの項に記載の介護用洗浄装置。
【請求項５】
前記洗浄用ノズルには、微細気泡混合電解水を吐出するための吐出用通水路と、前記吐出用通水路からの微細気泡混合電解水を洗浄後に吸引するための排水用通水路とが形成され、
前記洗浄水生成ユニットは、前記排水用通水路からの微細気泡混合電解水を吸引するポンプを備えた請求項１から４のいずれか項に記載の介護用洗浄装置。
【請求項６】
前記排水用通水路の周囲には、前記排水用通水路を囲うシール部材が設けられ、
前記吐出用通水路には、前記シール部材が被洗浄体に密着すると、前記シール部材に囲まれた空間の吸引圧力が上がり、前記吐出用通水路が開放状態となり、前記シール部材が被洗浄体から離間すると吸引圧力が下がり、前記吐出用通水路が閉鎖状態となる制御弁を備えた請求項５記載の介護用洗浄装置。
【発明の詳細な説明】
【技術分野】
【０００１】
本発明は、ベッドなどに横たわる要介護者を洗浄するための介護用洗浄装置に関するものである。
【背景技術】
【０００２】
水は、電解水として、酸性水とアルカリ性水とに分解して使用されている。酸性水は、
殺菌効果があるため殺菌洗浄水として使用される。また、アルカリ性水は、調理水として
使用されたり、界面活性剤としての効果を利用した産業用洗浄水として使用されたりして
いる。また、マイクロナノバブルは、気泡が微細であるため、液中の滞在時間が長く、自
己圧壊作用により殺菌効果がある。家庭用として使用される電解水を生成する機能を有す
る浄水器では、アルカリ性水のみを使用して、酸性水は活用方法がないため捨てられてい
る。
このように使用されている電解水と、マイクロナノバブルを混合した装置が、特許文献
１として知られている。
特許文献１に記載の「電解水マイクロナノバブル生成装置」は、洗面台として設置されたものである。この電解水マイクロナノバブル生成装置は、電解水生成装置により水道水から酸性水とアルカリ性水とを生成し、マイクロナノバブルとした水素ガスを酸性水に、炭酸ガスをアルカリ性水に、それぞれに混合して、洗面ボールに吐出するようにしている。
【先行技術文献】
【特許文献】
【０００３】
【特許文献１】特開２０１５−９８０１４号公報
【発明の概要】
【発明が解決しようとする課題】
【０００４】
しかし、この特許文献１に記載の「電解水マイクロナノバブル生成装置」では、洗面台や浴槽などに適用して、健常者の洗顔や洗髪、入浴に活用できても、介護無しでは移動が困難な要介護者に対して、ベッドなどに横たわった状態で、洗顔や洗髪、体を洗うことまでは考慮されていない。
【０００５】
そこで本発明は、ベッドに横たわったままの状態の要介護者の体や口腔内を洗浄殺菌することで、要介護者を清潔に保つことが可能な介護用洗浄装置を提供することを目的とする。
【課題を解決するための手段】
【０００６】
本発明の介護用洗浄装置は、原水から酸性水およびアルカリ性水を生成する電解水生成ユニットと、前記電解水生成ユニットから送水された酸性水およびアルカリ性水にマイクロナノバブルが混入された微細気泡酸性水および微細気泡アルカリ性水が生成され、前記微細気泡酸性水および前記微細気泡アルカリ性水が混合された微細気泡混合電解水を洗浄水として生成する洗浄水生成ユニットと、前記洗浄水生成ユニットからの洗浄水を吐出する洗浄用ノズルとを備え、前記洗浄水生成ユニットは、酸性水およびアルカリ性水が通水するホースを介して前記電解水生成ユニットと接続されていると共に、搬送用のキャスターを備えたことを特徴とする。
【０００７】
本発明の介護用洗浄装置によれば、洗浄水生成ユニットが、電解水生成ユニットにホースにより接続されており、洗浄水生成ユニットが、搬送用のキャスターを備えているため、原水が取水できる位置に電解水生成ユニットを配置した状態で、洗浄水生成ユニットを要介護者の近くに搬送して要介護者の体や口腔内を洗浄殺菌することができる。
また、微細気泡酸性水と微細気泡アルカリ性水とを混合した微細気泡混合電解水は、マイクロナノバブルが酸性水とアルカリ性水とのそれぞれが混合されているため、マイクロナノバブルがマイナス電位を有することで、マイクロナノバブルが反発し合い、結合しない。従って、酸性水とアルカリ性水との大部分は中和するが、酸性水によって包囲されたマイクロナノバブルが酸性としての機能を有し、アルカリ性水によって包囲されたマイクロナノバブルがアルカリ性としての機能を有するため、それぞれの効果を維持することができる。
【０００８】
前記洗浄水生成ユニットは、酸性水に、水素ガスのマイクロナノバブルを混入する第１微細気泡混合器を備えていることが望ましい。酸性水による効果が得られるだけでなく、マイクロナノバブルとした水素ガスによりウィルスや細菌を肌から剥離分散させる効果を得ることができる。
【０００９】
前記洗浄水生成ユニットは、アルカリ性水に、炭酸ガスのマイクロナノバブルを混入する第２微細気泡混合器を備えていることが望ましい。アルカリ性水による効果が得られるだけでなく、マイクロナノバブルとした炭酸ガスにより、汚れに対する浸透力を高めるため、頑固な汚れにも簡単に皮膚と汚れとの間に浸透して汚れを浮かせるという効果を得ることができる。
【００１０】
前記洗浄水生成ユニットは、酸性水とアルカリ性水とのそれぞれにマイクロナノバブルを混入して微細気泡酸性水と微細気泡アルカリ性水とする微細気泡混合器と、前記微細気泡混合器からの微細気泡酸性水と微細気泡アルカリ性水とを貯留するタンクと、前記微細気泡混合器と前記タンクとの間で、微細気泡酸性水と微細気泡アルカリ性水とを循環させる配管とを備えていることが望ましい。微細気泡酸性水と微細気泡アルカリ性水とを配管により循環させることで、マイクロナノバブルの濃度を増加させると共に、気泡サイズを更に微細化することができる。
【００１１】
前記洗浄用ノズルには、微細気泡混合電解水を吐出するための吐出用通水路と、前記吐出用通水路からの微細気泡混合電解水を洗浄後に吸引するための排水用通水路とが形成され、前記洗浄水生成ユニットは、前記排水用通水路からの微細気泡混合電解水を吸引するポンプを備えていることが望ましい。洗浄後の微細気泡混合電解水である洗浄汚染水が、ポンプの吸引によって、流出口から吐出した微細気泡混合電解水が、流入口から吸引される。そのため、要介護者を洗浄した洗浄汚水を、洗浄後に直ぐに回収することができる。
【００１２】
前記排水用通水路の周囲には、前記排水用通水路を囲うシール部材が設けられ、前記吐出用通水路には、前記シール部材が被洗浄体に密着すると、前記シール部材に囲まれた空間の吸引圧力が上がり、前記吐出用通水路が開放状態となり、前記シール部材が被洗浄体から離間すると吸引圧力が下がり、前記吐出用通水路が閉鎖状態となる制御弁を備えていることが望ましい。洗浄用ノズルを要介護者から引き離すと、制御弁が閉鎖状態となって、微細気泡混合電解水の吐出が抑止される。従って、洗浄用ノズルが要介護者から離間しても、微細気泡混合電解水を要介護者の回りに撒き散らすことが防止できる。
【発明の効果】
【００１３】
本発明の介護用洗浄装置によれば、洗浄水生成ユニットを要介護者の近くに搬送して要介護者の体や口腔内を洗浄殺菌することができるので、ベッドに横たわったままの状態の要介護者の体を洗浄殺菌することで、要介護者を清潔に保つことが可能である。
【図面の簡単な説明】
【００１４】
【図１】本発明の実施の形態に係る介護用洗浄装置を示す斜視図である。
【図２】図１に示す介護用洗浄装置の電解生成ユニットの構造を説明するための構成図である。
【図３】図１に示す介護用洗浄装置の洗浄水生成ユニットの構造を説明するための構成図である。
【図４】図１に示す介護用洗浄装置の洗浄用ノズルの外観図であり、（Ａ）は側面図、（Ｂ）は平面図である。
【図５】図４に示す洗浄用ノズルの内部構造および使用状態を説明するための断面図である。
【図６】図５に示す洗浄用ノズルに微細気泡混合電解水が吐出される状態の断面図である。
【図７】図５に示す洗浄用ノズルから洗浄汚水が吸引される状態の断面図である。
【発明を実施するための形態】
【００１５】
本発明の実施の形態に係る介護用洗浄装置を図面に基づいて説明する。
図１に示すように、本発明の実施の形態に係る介護用洗浄装置１０は、要介護者がベッドに横たわったままの状態で洗浄できるものである。
介護用洗浄装置１０は、電解水生成ユニット２０と、洗浄水生成ユニット３０と、２本の洗浄用ノズル４０と、蛇口Ｂ（図１では図示せず）とを備えている。
【００１６】
電解水生成ユニット２０は、水道水を原水として、酸性水およびアルカリ性水を生成するものである。洗浄水生成ユニット３０は、電解水生成ユニット２０から送水された酸性水およびアルカリ性水にマイクロナノバブルを混入して微細気泡酸性水および微細気泡アルカリ性水とし、この微細気泡酸性水および微細気泡アルカリ性水を混合した微細気泡混合電解水を洗浄水として生成するものである。洗浄用ノズル４０は、洗浄水生成ユニット３０からの洗浄水を吐出して、介護者が操作して要介護者を洗浄するものである。
【００１７】
洗浄水生成ユニット３０は、酸性水およびアルカリ性水が通水するホースＨ１，Ｈ２を介して電解水生成ユニット２０と接続されている。また、洗浄水生成ユニット３０のユニット本体３１の底面には、搬送用のキャスター３２を備えている。
ユニット本体３１の上面には、洗浄水生成ユニット３０の状態を監視したり、操作したりするための操作盤３３が配置されている。また、ユニット本体３１の上面には、待機状態の洗浄用ノズル４０を載置するための台部３４が、側面視逆Ｌ字状に形成され配置されている。
【００１８】
ここで、電解水生成ユニット２０および洗浄水生成ユニット３０の構成について図面に基づいて詳細に説明する。
まず、電解水生成ユニット２０について説明する。
図２に示すように、電解水生成ユニット２０は、原水である水道水を、手動弁Ｖ２１を介して取り入れて貯留する貯水タンク２１を備えている。貯水タンク２１には、水道水を汲み上げ送水するポンプＰ２１が接続されている。ポンプＰ２１には、浄水器２２を介して水道水を酸性水とアルカリ性水とに電解する電解水生成装置２３が接続されている。浄水器２２と電解水生成装置２３との間には、塩化ナトリウムの添加を調整する調整弁Ｖ２２が接続されている。
【００１９】
電解水生成装置２３には、酸性水を貯留する酸性水用タンク２４と、アルカリ性水を貯留するアルカリ性水用タンク２５とが接続されている。酸性水用タンク２４と、アルカリ性水用タンク２５とは、ホースＨ１，Ｈ２が接続されている。電解水生成ユニット２０と、洗浄水生成ユニット３０とは、ホースＨ１，Ｈ２の先端と洗浄水生成ユニット３０とに形成されたカップラＣ１，Ｃ２によりに連結される。
【００２０】
次に、洗浄水生成ユニット３０について説明する。
洗浄水生成ユニット３０では、電解水生成ユニット２０からの酸性水とマイクロバブルとを混合する第１微細気泡混合器３０１が、自動三方弁Ｖ３１を介して接続されている。また、電解水生成ユニット２０からのアルカリ性水とマイクロバブルとを混合する第２微細気泡混合器３０２が、自動三方弁Ｖ３２を介して接続されている。
【００２１】
第１微細気泡混合器３０１は、水素ガスをマイクロバブルにして酸性水に混合する第１気液混合器３０１ａと、マイクロバブルを混合した酸性水を圧送する第１ポンプ３０１ｂと、酸性水に混合された水素ガスの気泡をナノバブルのサイズまで細かくする第１微細化器３０１ｃとを備えている。
【００２２】
また、第２微細気泡混合器３０２は、炭酸ガスをマイクロバブルにしてアルカリ性水に混合する第２気液混合器３０２ａと、マイクロバブルを混合したアルカリ性水を圧送する第２ポンプ３０２ｂと、アルカリ性水に混合された炭酸ガスの気泡をナノバブルのサイズまで細かくする第２微細化器３０２ｃとを備えている。
【００２３】
第１微細化器３０１ｃには、自動三方弁Ｖ３３を介して、酸性水貯蔵タンク３０３の注水側が接続されている。更に、酸性水貯蔵タンク３０３の取水側が、自動三方弁Ｖ３１に接続されていることで、第１微細気泡混合器３０１と、自動三方弁Ｖ３３と、酸性水貯蔵タンク３０３と、自動三方弁Ｖ３１と、これを接続する配管とにより循環路が形成されている。
【００２４】
第２微細化器３０２ｃには、自動三方弁Ｖ３４を介して、アルカリ性水貯蔵タンク３０４の注水側が接続されている。更に、アルカリ性水貯蔵タンク３０４の取水側が、自動三方弁Ｖ３２に接続されていることで、第２微細気泡混合器３０２と、自動三方弁Ｖ３４と、アルカリ性水貯蔵タンク３０４と、自動三方弁Ｖ３２と、これを接続する配管とにより循環路が形成されている。
【００２５】
第１気液混合器３０１ａには、水素ガスを発生する電気分解装置３０５が接続されている。また、第２気液混合器３０２ａには、炭酸ガスを供給する炭酸ガスカートリッジ３０６が接続されている。
【００２６】
酸性水側の自動三方弁Ｖ３３からの配管は、自動弁Ｖ３５を介して蛇口Ｂに接続されていると共に、ヒーター３０７に接続されている。
アルカリ性水側の自動三方弁Ｖ３４からの配管は、自動三方弁Ｖ３６を介して、自動弁Ｖ３５からの配管と管継手３１０により合流して蛇口Ｂに接続されている。また、アルカリ性水側の自動三方弁Ｖ３４からの配管は、自動三方弁Ｖ３６を介して、自動三方弁Ｖ３３からの配管と管継手３１１により合流してヒーター３０７に接続されている。
【００２７】
ヒーター３０７は、自動三方弁Ｖ３７を介して、２本の洗浄用ノズル４０（４１，４２）に接続されている。
一方の洗浄用ノズル４１の排水側は、自動弁Ｖ３８を介して、真空ポンプＰ３１が接続された真空調整タンク３０８に接続されている。また、他方の洗浄用ノズル４２の排水側は、自動弁Ｖ３９を介して真空調整タンク３０８に接続されている。真空調整タンク３０８は、排水タンク３０９に接続されている。
【００２８】
次に、洗浄用ノズル４０（４１，４２）について説明する。
洗浄用ノズル４１は、洗顔、洗髪、体用である。洗浄用ノズル４２は口腔内用である。
洗浄用ノズル４１と洗浄用ノズル４２とは、同じ構造を有している。
図４（Ａ）および同図（Ｂ）に示すように、洗浄用ノズル４０は、介護者が手に持つ把持部４０１と、要介護者の頭部や体に当てたり、口腔内へ挿入したりするヘッダ部４０２と、把持部４０１内を通ってヘッダ部４０２に至る第１配管部４０３および第２配管部４０４とを備えている。
第１配管部４０３は、自動三方弁Ｖ３７（図３参照）からの微細気泡混合電解水が、洗浄水として通水する。第２配管部４０４は、洗浄汚水が通水する、図２に示す自動弁Ｖ３８または自動弁Ｖ３９に接続されている。
【００２９】
図５に示すように、ヘッダ部４０２は、第１配管部４０３および第２配管部４０４が接続されたヘッダ本体部４０２ａと、ヘッダ本体部４０２ａの前面に設けられた筒部４０２ｂと、要介護者の頭部（被洗浄部）に密着させるためのシール部材４０２ｃとを備えている。
筒部４０２ｂは、第１配管部４０３からの微細気泡混合電解水を吐出する吐出用通水路４０２ｄが軸心位置に形成され、排水を吸引して第２配管部４０４へ流す排水用通水路４０２ｅが、吐出用通水路４０２ｄの周囲に形成されている。
シール部材４０２ｃは、筒部４０２ｂの周囲を囲うように、徐々に拡がるスカート状に形成されている。シール部材４０２ｃは、耐久性の高いフッ素ゴムとすることができるが、他の樹脂製やゴム製とすることができる。
吐出用通水路４０２ｄの流入側には、制御弁４０５が設けられている。制御弁４０５は、球状の弁体４０５ａと、ばね４０５ｂとにより構成される。
【００３０】
以上のように構成された本発明の実施の形態に係る介護用洗浄装置１０の動作および使用状態を図面に基づいて説明する。
まず、図１に示すように、洗浄者は、介護用洗浄装置１０の洗浄水生成ユニット３０を、要介護者が所在するベッドの脇まで搬送する。
【００３１】
介護用洗浄装置１０を始動させ、図２に示すように、ポンプＰ２１が始動することにより、原水として水が貯水タンク２１へ導入される。貯水タンク２１からの水は、浄水器２２により水道水に含まれる金属や微生物などが除去されると共に、電解質である塩化ナトリウムが調整弁Ｖ２２を介して適量添加される。
【００３２】
そして、電解水生成装置２３により、塩化ナトリウムが添加された水に基づいて酸性水とアルカリ性水とが生成され、酸性水は酸性水用タンク２４に貯留され、アルカリ性水はアルカリ性水用タンク２５に貯留される。
【００３３】
酸性水用タンク２４に貯留された酸性水はホースＨ１を介して、また、アルカリ性水はアルカリ性水用タンク２５に貯留されたアルカリ性水はホースＨ２を介して、洗浄水生成ユニット３０に導入される。
【００３４】
洗浄水生成ユニット３０では、まず、酸性水は自動三方弁Ｖ３１を介して第１微細気泡混合器３０１の第１気液混合器３０１ａに送水される。第１気液混合器３０１ａでは、電気分解装置３０５が電気分解によって得た水素ガスをマイクロバブルにして、酸性水に混合する。そして、第１ポンプ３０１ｂにより水素ガスが混合された酸性水が圧送され、第１微細化器３０１ｃが水素ガスの気泡をナノバブルのサイズまで細かくして、酸性水を微細気泡酸性水とする。第１微細化器３０１ｃからの微細気泡酸性水は、当初は、自動三方弁Ｖ３３を介して酸性水貯蔵タンク３０３に貯留される。
次に、酸性水貯蔵タンク３０３からの微細気泡酸性水は、自動三方弁Ｖ３１を介して、再び、第１気液混合器３０１ａへ送水されることで水素ガスが混合され、第１ポンプ３０１ｂによる送水により第１微細化器３０１ｃで更に気泡サイズが微細化される。そして、第１微細化器３０１ｃからの微細気泡酸性水は、自動三方弁Ｖ３３を介して酸性水貯蔵タンク３０３に戻る。
【００３５】
このように、第１微細気泡混合器３０１と、自動三方弁Ｖ３３と、酸性水貯蔵タンク３０３と、自動三方弁Ｖ３１とを順に接続する配管により、微細気泡酸性水を循環させることで、マイクロナノバブルの濃度を増加させると共に、気泡サイズを更に微細化することができる。
【００３６】
また、電解水生成ユニット２０からのアルカリ性水も同様に、自動三方弁Ｖ３２と、炭酸ガスカートリッジ３０６から供給された炭酸ガスがアルカリ性水に混合され、気泡が微細化された微細気泡アルカリ性水とする第２微細気泡混合器３０２と、自動三方弁Ｖ３４と、そして微細気泡アルカリ性水を貯留するアルカリ性水貯蔵タンク３０４とを順に接続する配管により、微細気泡アルカリ性水を循環させることで、マイクロナノバブルの濃度を増加させると共に、気泡サイズを更に微細化することができる。
【００３７】
また、自動三方弁Ｖ３３からの微細気泡酸性水と、自動三方弁Ｖ３６からの微細気泡アルカリ性水とは、管継手３１１にて合流することで、微細気泡混合電解水となって、ヒーター３０７にて加熱され、自動三方弁Ｖ３７を介して、洗浄用ノズル４１から、洗浄水として、吐出させることができる。
更に、ヒーター３０７にて加熱された微細気泡混合電解水は、自動三方弁Ｖ３７の切り替えにより、洗浄用ノズル４２から、洗浄水として、吐出させることができる。
【００３８】
洗浄者が洗浄用ノズル４０（４１，４２）のヘッダ部４０２を要介護者の被洗浄体となる皮膚や口腔内の粘膜に密着させる。そうすると、図６に示すように、第１配管部４０３からの微細気泡混合電解水が、筒部４０２ｂの吐出用通水路４０２ｄの流入側に達すると共に、真空ポンプＰ３１（図３参照）からの吸引によって、シール部材４０２ｃに囲まれた空間の吸引圧力が上がることで、制御弁４０５の弁体４０５ａを、ばね４０５ｂの付勢力に逆らって、微細気泡混合電解水の吐出方向に引き込む。
【００３９】
弁体４０５ａが微細気泡混合電解水の吐出方向に引き込まれることで、弁体４０５ａにより閉鎖されていた吐出用通水路４０２ｄの流入側が開放状態となるため、微細気泡混合電解水が吐出用通水路４０２ｄに流入して、吐出用通水路４０２ｄの流出側から要介護者の表皮に吐出されて、表皮を洗浄殺菌する。
【００４０】
そして、洗浄汚水となった洗浄後の微細気泡混合電解水は、図７に示すように、シール部材４０２ｃ内に囲まれることで、シール部材４０２ｃの外部に流れ出ずに、真空ポンプＰ３１（図３参照）の吸引によって筒部４０２ｂの排水用通水路４０２ｅへ吸い込まれる。そして、洗浄汚水は、排水用通水路４０２ｅから第２配管部４０４へ送水される。
【００４１】
第２配管部４０４へ送水された洗浄汚水は、図３に示すように、自動弁Ｖ３８，Ｖ３９を介して、一旦、真空調整タンク３０８へ貯留された後に、排水タンク３０９へ貯留される。
洗浄後の微細気泡混合電解水である洗浄汚染水が、ポンプの一例である真空ポンプＰ３１（図３参照）の吸引によって、吐出用通水路４０２ｄ（流出口）から吐出した微細気泡混合電解水が、排水用通水路４０２ｅ（流入口）から吸引されるため、要介護者を洗浄した洗浄汚水を、洗浄後に直ぐに回収することができる。従って、介護用洗浄装置１０は、浴槽でなくても、要介護者を洗浄することができる。
【００４２】
洗浄者が、洗浄用ノズル４０を要介護者から引き離すと、シール部材４０２ｃが要介護者の皮膚から離間するとシール部材４０２ｃに囲まれた吸引圧力が下がり、ばね４０５ｂの付勢力が吸引圧力より大きくなることで、弁体４０５ａはばね４０５ｂの付勢力により押し込まれ、吐出用通水路４０２ｄの流入側を閉鎖状態とする。
従って、洗浄用ノズル４０を要介護者から引き離しても、洗浄用ノズル４０は、洗浄水を要介護者の回りに撒き散らすことが防止できる。よって、要介護者が横たるベッドで要介護者の洗浄を行っても、洗浄汚水をこぼすこと無く要介護者を洗浄することができる。
【００４３】
以上のように、本発明の実施の形態に係る介護用洗浄装置１０によれば、図１に示すように、洗浄水生成ユニット３０が、電解水生成ユニット２０にホースＨ１，Ｈ２により接続されており、洗浄水生成ユニット３０が、搬送用のキャスター３２を備えているため、原水が取水できる位置に電解水生成ユニット２０を配置した状態で、洗浄水生成ユニット３０を要介護者の近くに搬送して要介護者を洗浄することができる。
【００４４】
微細気泡酸性水と微細気泡アルカリ性水とを混合した微細気泡混合電解水は、マイクロナノバブルが酸性水とアルカリ性水とのそれぞれが混合されているため、マイクロナノバブルがマイナス電位を有することで、マイクロナノバブルが反発し合い、結合しない。従って、酸性水とアルカリ性水との大部分は中和するが、酸性水によって包囲されたマイクロナノバブルが酸性としての機能を有し、アルカリ性水によって包囲されたマイクロナノバブルがアルカリ性としての機能を有するため、それぞれの効果を維持することができる。よって、微細気泡混合電解水を使用して、洗浄殺菌などを行うことにより、一回の作業で、酸性とアルカリ性との効果を同時に得ることができる。これにより、介護用洗浄装置１０は、アルカリ性水と酸性水とを混合しても、それぞれの効果を維持しつつ、マイクロナノバブルの効果も得ることができことにより、高い洗浄殺菌効果と、高い治療効果が得られる。
【００４５】
このように、介護用洗浄装置１０は、ベッドに横たわったままの状態の要介護者の体や口腔内を洗浄殺菌することで、要介護者を清潔に保つことが可能である。
【００４６】
また、洗浄水生成ユニット３０は、酸性水に、水素ガスのマイクロナノバブルを混入する第１微細気泡混合器３０１を備えているため、酸性水によりウィルスや細菌を殺菌する効果が得られるだけでなく、マイクロナノバブルとした水素ガスによりウィルスや細菌を肌から剥離分散させる効果を得ることができる。
従って、酸性水に水素ガスのマイクロナノバブルが混合した微細気泡酸性水は、水中に分散していたり、被洗浄物に付着したりするウィルスや細菌を、水素ガスのマイクロナノバブルのマイナス電位により吸着し、死滅させたり、不活性化したりすることができる。
また、図３に示す自動三方弁Ｖ３４または自動三方弁Ｖ３６を閉鎖状態とすることにより、自動三方弁Ｖ３３からの微細気泡酸性水のみを蛇口Ｂから取水したり、または洗浄用ノズル４０から吐出したりすることができる。そうすることにより、微細気泡酸性水が、洗顔などにより肌に触れることで、肌を引き締める化粧水のようなアストリンゼン効果（収斂効果）を得ることができる。
【００４７】
洗浄水生成ユニット３０は、アルカリ性水に、炭酸ガスのマイクロナノバブルを混入する第２微細気泡混合器３０２を備えているため、アルカリ性水が、疎水基による界面活性機能により油膜等の汚れを浮かせ、包み込んで水中に分散させたり、アトピー性皮膚炎や糖尿病が改善したりするだけでなく、マイクロナノバブルとした炭酸ガスにより、汚れに対する浸透力を高めるため、頑固な汚れにも簡単に皮膚と汚れとの間に浸透して汚れを浮かせるという効果を得ることができる。
従って、アルカリ性水に炭酸ガスのマイクロナノバブルが混合した微細気泡アルカリ性水は、アルカリ性水の汚れを浮かせる効果を、炭酸ガスのマイクロナノバブルより更に増加させることができる。
また、自動三方弁Ｖ３３または自動弁Ｖ３５を閉鎖状態とすることで、自動三方弁Ｖ３４からの微細気泡アルカリ性水のみを、蛇口Ｂから飲用として体内に取り込むことで、胃腸症が改善したり、微細気泡アルカリ性水をうがい用とすることで、口腔内を殺菌したりすることができる。
【産業上の利用可能性】
【００４８】
本発明の介護用洗浄装置は、運動が困難な患者が入院する病院や、老齢者が入居する施設などに好適である。
【符号の説明】
【００４９】
１０  介護用洗浄装置
２０  電解水生成ユニット
２１  貯水タンク
２２  浄水器
２３  電解水生成装置
２４  酸性水用タンク
２５  アルカリ性水用タンク
３０  洗浄水生成ユニット
３０１  第１微細気泡混合器
３０１ａ  第１気液混合器
３０１ｂ  第１ポンプ
３０１ｃ  第１微細化器
３０２  第２微細気泡混合器
３０２ａ  第２気液混合器
３０２ｂ  第２ポンプ
３０２ｃ  第２微細化器
３０３  酸性水貯蔵タンク
３０４  アルカリ性水貯蔵タンク
３０５  電気分解装置
３０６  炭酸ガスカートリッジ
３０７  ヒーター
３０８  真空調整タンク
３０９  排水タンク
３１０，３１１  管継手
３１  ユニット本体
３２  キャスター
３３  操作盤
３４  台部
４０，４１，４２  洗浄用ノズル
４０１  把持部
４０２  ヘッダ部
４０２ａ  ヘッダ本体部
４０２ｂ  筒部
４０２ｃ  シール部材
４０２ｄ  吐出用通水路
４０２ｅ  排水用通水路
４０３  第１配管部
４０４  第２配管部
４０５  制御弁
４０５ａ  弁体
４０５ｂ  ばね
Ｂ  蛇口
Ｈ１，Ｈ２  ホース
Ｃ１，Ｃ２  カップラ
Ｐ２１  ポンプ
Ｐ３１  真空ポンプ
Ｖ２１  手動弁
Ｖ２２  調整弁
Ｖ３１  自動三方弁
Ｖ３２  自動三方弁
Ｖ３３  自動三方弁
Ｖ３４  自動三方弁
Ｖ３５  自動弁
Ｖ３６  自動三方弁
Ｖ３７  自動三方弁
Ｖ３８  自動弁
Ｖ３９  自動弁
【図１】
0006447876.tif 000002
【図２】
0006447876.tif 000003
【図３】
0006447876.tif 000004
【図４】
0006447876.tif 000005
【図５】
0006447876.tif 000006
【図６】
0006447876.tif 000007
【図７】
0006447876.tif 000008